(57)【要約】【課題】ユーザーの持ち方によってサイドキーが押しにくくなるという問題を解決する。【解決手段】メモリ２０４は、検出電極１０１ａ〜１０１ｊそれぞれについて接触の有無を表すパターンと、当該パターンにおいて接触が無い少なくとも１つの検知電極１０１ａ〜１０１ｊとを関連付けて記憶する。アプリケーション実行部２１３は、複数の検出電極１０１ａ〜１０１ｊにおける人体の接触の有無のパターンとメモリ２０４に記憶されているパターンとが一致した場合に、当該パターンに関連付けられた検知電極１０１ａ〜１０１ｊの接触の有無に応じて、アプリケーションを実行する。【選択図】図８
2014033297.tif 000002
【特許請求の範囲】
【請求項１】
複数の検知箇所において人体の接触を検知する検知部と、
前記複数の検知箇所それぞれについて接触の有無を表すパターンと、当該パターンにおいて接触が無い少なくとも１つの検知箇所とを関連付けて記憶するパターン記憶部と、
前記検知部によって検知された前記複数の検知箇所における人体の接触の有無のパターンと前記パターン記憶部に記憶されている前記パターンとが一致した場合に、当該パターンに関連付けられた検知箇所の接触の有無に応じて、自装置の機能を実行する機能実行部と
を備えることを特徴とする携帯電話機。
【請求項２】
前記複数の検知箇所それぞれについて接触の有無を表すパターンを特定するパターン特定部と、
前記パターン特定部が特定したパターンにおいて接触が無い検知箇所の選択を受け付ける検知箇所選択部と、
前記パターン特定部が特定したパターンと前記検知箇所選択部が受け付けた検知箇所とを関連付けて前記パターン記憶部に記録するパターン記録部と
を備えることを特徴とする請求項１に記載の携帯電話機。
【請求項３】
複数のアンテナと、
前記複数のアンテナのうち、当該アンテナに近接する検知箇所における人体の接触が少ないほうのアンテナを、使用するアンテナに決定するアンテナ決定部と
を備えることを特徴とする請求項１または請求項２の何れか１項に記載の携帯電話機。
【請求項４】
複数の検知箇所それぞれについて接触の有無を表すパターンと、当該パターンにおいて接触が無い少なくとも１つの検知箇所とを関連付けて記憶するパターン記憶部を備える携帯電話機の制御方法であって、
前記携帯電話機の検知部が、前記複数の検知箇所において人体の接触を検知する検知ステップと、
前記携帯電話機の機能実行部が、前記検知部によって検知された前記複数の検知箇所における人体の接触の有無のパターンと前記パターン記憶部に記憶されている前記パターンとが一致した場合に、当該パターンに関連付けられた検知箇所の接触の有無に応じて、自装置の機能を実行する機能実行ステップと
を備えることを特徴とする制御方法。
【請求項５】
前記携帯電話機のパターン特定部が、前記複数の検知箇所それぞれについて接触の有無を表すパターンを特定するパターン特定ステップと、
前記携帯電話機の検知箇所選択部が、前記パターン特定部が特定したパターンにおいて接触が無い検知箇所の選択を受け付ける検知箇所選択ステップと、
前記携帯電話機のパターン記録部が、前記パターン特定部が特定したパターンと前記検知箇所選択部が受け付けた検知箇所とを関連付けて前記パターン記憶部に記録するパターン記録ステップと
を備えることを特徴とする請求項４に記載の制御方法。
【請求項６】
複数の検知箇所それぞれについて接触の有無を表すパターンと、当該パターンにおいて接触が無い少なくとも１つの検知箇所とを関連付けて記憶するパターン記憶部を備える携帯電話機を、
前記複数の検知箇所において人体の接触を検知する検知部、
前記検知部によって検知された前記複数の検知箇所における人体の接触の有無のパターンと前記パターン記憶部に記憶されている前記パターンとが一致した場合に、当該パターンに関連付けられた検知箇所の接触の有無に応じて、自装置の機能を実行する機能実行部
として機能させるためのプログラム。
【請求項７】
前記携帯電話機をさらに
前記複数の検知箇所それぞれについて接触の有無を表すパターンを特定するパターン特定部、
前記パターン特定部が特定したパターンにおいて接触が無い検知箇所の選択を受け付ける検知箇所選択部、
前記パターン特定部が特定したパターンと前記検知箇所選択部が受け付けた検知箇所とを関連付けて前記パターン記憶部に記録するパターン記録部
として機能させるための請求項６に記載のプログラム。
【発明の詳細な説明】
【技術分野】
【０００１】
本発明は、携帯電話機、制御方法及びプログラムに関する。
【背景技術】
【０００２】
近年、タッチパネルを入力装置とする携帯電話機が増加している。他方、携帯電話機は小型化が求められており、タッチパネルが設けられた面にキーを配置することは小型化の観点からは好ましくない。そのため、携帯電話機の補助入力装置として、筐体の側面にサイドキーを設けることが多い。しかしながら、携帯電話機のユーザーの持ち方によっては、サイドキーを押しにくく、操作性が悪くなってしまうという問題がある。
【０００３】
特許文献１には、サイドキーを複数備え、ユーザーが持ったときの各サイドキーのストローク圧力に基づいて、キー入力のためのストローク圧力の閾値を決定する技術が開示されている。
【先行技術文献】
【特許文献】
【０００４】
【特許文献１】特開２０１１−２１１４２３号公報
【発明の概要】
【発明が解決しようとする課題】
【０００５】
しかしながら、特許文献１に開示された方法を用いた場合、サイドキーの誤入力を防ぐことはできるが、ユーザーの持ち方によってサイドキーが押しにくくなるという問題を解決することができない。
本発明の目的は、上述した課題を解決する携帯電話機、制御方法及びプログラムを提供することにある。
【課題を解決するための手段】
【０００６】
本発明は上記の課題を解決するためになされたものであり、複数の検知箇所において人体の接触を検知する検知部と、前記複数の検知箇所それぞれについて接触の有無を表すパターンと、当該パターンにおいて接触が無い少なくとも１つの検知箇所とを関連付けて記憶するパターン記憶部と、前記検知部によって検知された前記複数の検知箇所における人体の接触の有無のパターンと前記パターン記憶部に記憶されている前記パターンとが一致した場合に、当該パターンに関連付けられた検知箇所の接触の有無に応じて、自装置の機能を実行する機能実行部とを備えることを特徴とする携帯電話機である。
【０００７】
また、本発明は、複数の検知箇所それぞれについて接触の有無を表すパターンと、当該パターンにおいて接触が無い少なくとも１つの検知箇所とを関連付けて記憶するパターン記憶部を備える携帯電話機の制御方法であって、前記携帯電話機の検知部が、前記複数の検知箇所において人体の接触を検知する検知ステップと、前記携帯電話機の機能実行部が、前記検知部によって検知された前記複数の検知箇所における人体の接触の有無のパターンと前記パターン記憶部に記憶されている前記パターンとが一致した場合に、当該パターンに関連付けられた検知箇所の接触の有無に応じて、自装置の機能を実行する機能実行ステップとを備えることを特徴とする。
【０００８】
また、本発明は、複数の検知箇所それぞれについて接触の有無を表すパターンと、当該パターンにおいて接触が無い少なくとも１つの検知箇所とを関連付けて記憶するパターン記憶部を備える携帯電話機を、前記複数の検知箇所において人体の接触を検知する検知部、前記検知部によって検知された前記複数の検知箇所における人体の接触の有無のパターンと前記パターン記憶部に記憶されている前記パターンとが一致した場合に、当該パターンに関連付けられた検知箇所の接触の有無に応じて、自装置の機能を実行する機能実行部として機能させるためのプログラムである。
【発明の効果】
【０００９】
本発明によれば、ユーザーの持ち方によってサイドキーが押しにくくなるという問題を解決することができる。
【図面の簡単な説明】
【００１０】
【図１】本発明の一実施形態による携帯電話機の概観を示す図である。
【図２】携帯電話機の側面に設けられる入力部とアンテナの概略を表す図である。
【図３】携帯電話機の内部の構成を表す図である。
【図４】携帯電話機の機能構成の概略を表す概略ブロック図である。
【図５】サイドキー設定時の携帯電話機の動作を表すフローチャートである。
【図６】アプリケーション実行時の携帯電話機の動作を表すフローチャートである。
【図７】通信時の携帯電話機の動作を表すフローチャートである。
【図８】本発明による携帯電話機の基本構成を示す概略ブロック図である。
【発明を実施するための形態】
【００１１】
以下、図面を参照しながら本発明の実施形態について詳しく説明する。
図１は、本発明の一実施形態による携帯電話機１の概観を示す図である。
図１（Ａ）は携帯電話機１の表側の外観を表す。図１（Ｂ）は携帯電話機１の裏側の外観を表す。携帯電話機１の筐体は、表面１０、裏面２０、４つの側面からなる。側面とは、携帯電話機１の表面１０と裏面２０とをつなぐ細長い面であり、左方側面３０、右方側面４０、下方側面５０、上方側面６０からなる。
【００１２】
表面１０には、通話用スピーカー１１、マイク１２、表示部１３、操作部１４が設けられる。通話用スピーカー１１及びマイク１２は、携帯電話機１のユーザーが音声通話を行う際に使用される音声出力装置及び音声入力装置である。表示部１３は、液晶ディスプレイ装置や有機エレクトロルミネッセンス（Ｏｒｇａｎｉｃ  Ｅｌｅｃｔｒｏ  Ｌｕｍｉｎｅｓｃｅｎｃｅ）ディスプレイ等の画像表示装置を用いて構成される。操作部１４は、携帯電話機１のユーザーが電話番号の入力や各種操作を行う際に使用される入力部であり、複数のボタン等の入力装置を用いて構成される。
【００１３】
裏面２０には、スピーカー２１が設けられる。スピーカー２１は、着信音の出力時のように、携帯電話機１を耳にかざすことなくユーザーに出力音が届くように音声を出力する際に使用される音声出力装置である。
【００１４】
図２は、携帯電話機１の側面に設けられる入力部（側面入力部１１０）とアンテナ１２０の概略を表す図である。図示されるように、携帯電話機１の１つ又は複数の側面には、側面入力部１１０が設けられる。なお、図２では、側面入力部１１０は左方側面３０、右方側面４０、上方側面６０に設けられているが、側面入力部１２の設置位置は上記の例に限定される必要はない。また、携帯電話機１には、側面入力部１１０に沿って複数のアンテナ１２０（１２０ａ、１２０ｂ）が設けられる。なお、図２では、アンテナ１２０ａは左方側面３０に、アンテナ１２０ｂは右方側面４０にそれぞれ設けられているが、アンテナ１２０の個数及び設置位置は上記の例に限定される必要はない。
【００１５】
図３は、携帯電話機１の内部の構成を表す図である。携帯電話機１は、フレキシブルプリント基板（Ｆｌｅｘｉｂｌｅ  Ｐｒｉｎｔｅｄ  Ｃｉｒｃｕｉｔｓ：ＦＰＣ）１００、複数の検出電極１０１（１０１ａ〜１０１ｊ）、メインプリント基板２００を備える。側面入力部１１０は、フレキシブルプリント基板１００及び複数の検出電極１０１によって構成される。
【００１６】
フレキシブルプリント基板１００は、柔軟性があり大きく変形させることが可能なプリント基板である。検出電極１０１は、タッチセンサーの検出基板であり、フレキシブルプリント基板１００に配置される。フレキシブルプリント基板１００に配置される検出電極１０１の数は特に限定されない。各検出電極１０１から伸びる配線は、フレキシブルプリント基板１００上を通り、メインプリント基板２００に配置されたコネクタ２０１に接続される。なお、図３では、図面の都合により検出電極１０１ｇ〜１０１ｊのみについて配線を示しているが、実際には検出電極１０１ａ〜１０１ｆについても配線が存在し、各配線はコネクタ２０１に接続される。
【００１７】
メインプリント基板２００は、リジッドプリント基板やフレキシブルプリント基板などのプリント基板を用いて構成され、コネクタ２０１、制御回路２０２、ＣＰＵ２０３、メモリ２０４が配置される。
【００１８】
図４は、携帯電話機１の機能構成の概略を表す概略ブロック図である。
携帯電話機１は、上述したように、複数の検出電極１０１ａ〜１０１ｊ、コネクタ２０１、制御回路２０２、ＣＰＵ２０３、メモリ２０４を備える。
【００１９】
制御回路２０２は、タッチセンサー制御回路である。制御回路２０２は、各検出電極１０１ａ〜１０１ｊにおける静電容量（コンデンサ容量）をそれぞれ測定し、静電容量の変化に基づいてユーザーの接触を検知する。例えば、制御回路２０２は、ある検出電極１０１の静電容量の変化量が閾値を超えると、その検出電極１０１が設けられた位置にユーザーが接触したと判定する。そして、制御回路２０２は、各検出電極１０１について接触の有無（オン・オフ）をＣＰＵ２０３に通知する。
【００２０】
ＣＰＵ（Ｃｅｎｔｒａｌ  Ｐｒｏｃｅｓｓｉｎｇ  Ｕｎｉｔ）２０３は、メモリ２０４に記憶される制御プログラムを実行することによって、パターン特定部２１０、サイドキー設定部２１１、サイドキー特定部２１２、アプリケーション実行部２１３、アンテナ選択部２１４、通信部２１５として機能する。
【００２１】
パターン特定部２１０は、携帯電話機１を持ったときの検出電極１０１の接触の有無のパターンを特定する。
サイドキー設定部２１１は、パターン特定部２１０が特定したパターンとサイドキーとして機能させる検出電極１０１とを関連付けてメモリ２０４に記録する。
【００２２】
サイドキー特定部２１２は、パターン特定部２１０が特定したパターンに関連付けられた検出電極１０１を、サイドキーとして機能させる検出電極１０１として特定する。
アプリケーション実行部２１３は、メモリ２０４に記憶されるアプリケーションプログラムを実行する。このとき、サイドキー特定部２１２が特定した検出電極１０１が接触された場合に、サイドキーが押下されたものとしてアプリケーションプログラムの制御を行う。
【００２３】
アンテナ選択部２１４は、パターン特定部２１０が特定したパターンに応じてアンテナ１２０ａ、１２０ｂの何れを通信部２１５による通信に用いるかを選択する。
通信部２１５は、アンテナ選択部２１４が選択したアンテナを用いて通信を行う。
【００２４】
メモリ２０４は、半導体記憶装置や磁気記憶装置等の記憶装置を用いて構成され、ＣＰＵ２０３によって実行される制御プログラム及びアプリケーションプログラムを記憶する。また、メモリ２０４は、サイドキー条件情報を記憶する。サイドキー条件情報については後述する。
【００２５】
図５は、サイドキー設定時の携帯電話機１の動作を表すフローチャートである。まず、携帯電話機１のユーザーが操作部１４を操作することによってサイドキー条件情報の登録の開始指示を入力すると、サイドキー設定部２１１はこの入力を受け付ける（ステップＳ１０１）。この後、パターン特定部２１０は、検出電極１０１の接触の有無のパターンの指定の受付けを開始する。このとき、サイドキー設定部２１１は、「携帯電話機１を持ってください」という文字列のように、ユーザーに対して携帯電話機１の把持を促すような表示を表示部１３に出力させても良い。
【００２６】
ユーザーは、携帯電話機１を持った状態で操作部１４を操作することによって、携帯電話機１を持ったときの検出電極１０１の接触の有無のパターンを確定する。接触の有無のパターンとは、各検出電極１０１における接触の有無のパターンを示す情報である。例えば、ユーザーが検出電極１０１ａ、１０１ｄ、１０１ｊ付近に触れ、他の検出電極１０１付近には触れなかった場合、検出電極１０１ａ、１０１ｄ、１０１ｊの３つがオン、検出電極１０１ｂ、１０１ｃ、１０１ｅ、１０１ｆ、１０１ｇ、１０１ｈ、１０１ｉの７つがオフであることを示すロックパターンが入力される。これにより、パターン特定部２１０は、このときの検出電極１０１の接触の有無のパターンをサイドキー設定部２１１に出力する（ステップＳ１０２）。
【００２７】
次に、サイドキー設定部２１１は、サイドキーとして用いる検出電極１０１の入力を受け付ける。このとき、サイドキー設定部２１１は、「サイドキーとして使用する部分をタッチして下さい」という文字列のように、ユーザーに対してサイドキーとして使用する検出電極１０１のタッチを促すような表示を表示部１３に出力させても良い。
【００２８】
携帯電話機１のユーザーは、側面入力部１１０が設けられた側面のうち、１又は複数の任意の部分に触れることによって、サイドキーとして使用する検出電極１０１を入力する。サイドキー設定部２１１は、制御回路２０２によって検知されたパターンを受け付ける（ステップＳ１０３）。そして、サイドキー設定部２１１は、パターン特定部２１０がステップＳ１０１で特定したパターンと、サイドキー設定部２１１がステップＳ１０３で特定したパターンとを関連付けてサイドキー条件情報としてメモリ２０４に記録する（ステップＳ１０４）。
【００２９】
次に、サイドキー設定部２１１は、追加のサイドキー条件情報を設定するか否かの指示の受付を開始する。このとき、サイドキー設定部２１１は、「他の持ち方のときのサイドキーを設定しますか？」という文字列のように、ユーザーに対して追加のサイドキー条件情報を設定するか否かの指示の入力を促すような表示を表示部１３に出力させても良い。携帯電話機１のユーザーは、操作部１４を操作することによって追加のパターンを設定するか否かの指示を入力する（ステップＳ１０５）。
【００３０】
追加のパターンを設定する旨の指示が入力された場合（ステップＳ１０５：ＹＥＳ）、サイドキー設定部２１１は、ステップＳ１０２に戻り、次のサイドキー条件情報の入力の受付を開始する。一方、追加のパターンを設定しない旨の指示が入力された場合（ステップＳ１０５：ＮＯ）、処理を終了する。
【００３１】
図６は、アプリケーション実行時の携帯電話機１の動作を表すフローチャートである。まず、携帯電話機１のユーザーが操作部１４を操作することによって、アプリケーション実行部２１３は、アプリケーションプログラムを実行する。このとき、パターン特定部２１０は、検出電極１０１の接触の有無のパターンを特定する（ステップＳ２０１）。
【００３２】
次に、サイドキー特定部２１２は、メモリ２０４が記憶するサイドキー条件情報の中から、パターン特定部２１０が特定したパターンに関連付けられた検出電極１０１を、サイドキーとして用いる検出電極１０１として特定する（ステップＳ２０２）。
【００３３】
次に、アプリケーション実行部２１３は、実行中のアプリケーションプログラムに従ってサイドキーの入力を受け付けるか否かを判定する（ステップＳ２０３）。サイドキーの入力を受け付ける場合（ステップＳ２０３：ＹＥＳ）、アプリケーション実行部２１３は、サイドキー特定部２１２が特定した検出電極１０１のいずれか１つがユーザーと接触されているか否かを判定する（ステップＳ２０４）。特定した検出電極１０１がユーザーと接触されている場合（ステップＳ２０４：ＹＥＳ）、アプリケーション実行部２１３は、実行中のアプリケーションプログラムにおいてサイドキーの入力があった場合の処理を実行する（ステップＳ２０５）。
【００３４】
他方、実行中のアプリケーションプログラムにおいてサイドキーの入力を受け付けない場合（ステップＳ２０３：ＮＯ）、または特定した検出電極１０１がいずれもユーザーと接触していない場合（ステップＳ２０４：ＮＯ）、アプリケーション実行部２１３は、実行中のアプリケーションプログラムにおいてサイドキーの入力がない場合の処理を実行する（ステップＳ２０６）。
【００３５】
図７は、通信時の携帯電話機１の動作を表すフローチャートである。アプリケーション実行部２１３がアプリケーションプログラムの実行により無線通信を行う場合、パターン特定部２１０は、検出電極１０１の接触の有無のパターンを特定する（ステップＳ３０１）。
【００３６】
次に、アンテナ選択部２１４は、パターン特定部２１０が特定したパターンから、接触を検出した検出電極１０１のうち、アンテナ１２０ａに近接する検出電極１０１の数と、アンテナ１２０ｂに近接する検出電極１０１の数とを算出する（ステップＳ３０２）。次に、アンテナ選択部２１４は、アンテナ１２０ａ、１２０ｂのうち、近接する検出電極１０１の数が少ないものを、通信に使用するアンテナ１２０に決定する（ステップＳ３０３）。そして、通信部２１５は、アンテナ選択部２１４が選択したアンテナ１２０を用いて、アプリケーション実行部２１３の制御に従い、無線通信を行う（ステップＳ３０４）。
【００３７】
このように、本実施形態によれば、携帯電話機１の検出電極１０１のうち、ユーザーが持ったときに接触しない検出電極１０１を、サイドキーとして用いる検出電極１０１に決定する。これにより、ユーザーの持ち方によってサイドキーが押しにくくなるという問題を解決することができる。特に、本実施形態によれば、ユーザーは、何れの検出電極１０１をサイドキーとして用いるかを選択することができる。これにより、ユーザーは、携帯電話機１を持ったときにタッチしやすい検出電極１０１をサイドキーに設定することができる。
【００３８】
また、本実施形態によれば、アンテナ選択部２１４は、アンテナ１２０に近接する検出電極１０１におけるユーザーの接触が少ないほうのアンテナを、使用するアンテナに決定する。アンテナ１２０は、人体と接触することで性能が劣化することが知られている。そのため、本実施形態によれば、アンテナ１２０の受信状況を確認することなく、受信状況の良いアンテナ１２０を選択して通信を行うことができる。
【００３９】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、ごく簡単な例を挙げたが、ユーザーの使用状況に応じて検出電極１０１の配置を変更することや、アンテナ１２０ａ、１２０ｂの性能差によってアンテナ１２０の選択条件を変えることで、より良いアンテナ選択を実現することができる。
【００４０】
《基本構成》
図８は、本発明による携帯電話機１の基本構成を示す概略ブロック図である。
上述した実施形態では、本発明による携帯電話機１の一実施形態として図４に示す構成について説明したが、本発明による携帯電話機１の基本構成は、図４に示すとおりである。
すなわち、本発明による携帯電話機１は、検出電極１０１、メモリ２０４、アプリケーション実行部２１３を基本構成とする。
【００４１】
検出電極１０１は、人体の接触を検知する。メモリ２０４は、検出電極１０１それぞれについて接触の有無を表すパターンと、当該パターンにおいて接触が無い少なくとも１つの検知電極１０１とを関連付けて記憶する。アプリケーション実行部２１３は、複数の検出電極１０１における人体の接触の有無のパターンとメモリ２０４に記憶されているパターンとが一致した場合に、当該パターンに関連付けられた検知電極１０１の接触の有無に応じて、アプリケーションを実行する。
これにより、携帯電話機１は、ユーザーの持ち方によってサイドキーが押しにくくなるという問題を解決することができる。
【００４２】
上述の携帯電話機１のＣＰＵ２０３は、メモリ２０４が記憶する制御プログラムを実行することで、上記処理を行う場合を説明したが、これに限られず、メモリ２０４以外のコンピュータ読み取り可能な記録媒体が制御プログラムを記憶していても良い。ここでコンピュータ読み取り可能な記録媒体とは、各種ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、Ｆｌａｓｈメモリ等をいう。また、このコンピュータプログラムを通信回線によってコンピュータに配信し、この配信を受けたコンピュータが当該プログラムを実行するようにしても良い。
【００４３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４４】
１…携帯電話機  １０…表面  １１…通話用スピーカー  １２…マイク  １３…表示部  １４…操作部  ２０…裏面  ３…左方側面０  ４０…右方側面  ５０…下方側面  ６０…上方側面  ２１…スピーカー  １００…フレキシブルプリント基板  １０１…検出電極  １１０…側面入力部  １２０…アンテナ  ２００…メインプリント基板  ２０１…コネクタ  ２０２…制御回路  ２０３…ＣＰＵ  ２０４…メモリ  ２１０…パターン特定部  ２１１…サイドキー設定部  ２１２…サイドキー特定部  ２１３…アプリケーション実行部  ２１４…アンテナ選択部  ２１５…通信部
【図１】
2014033297.tif 000003
【図２】
2014033297.tif 000004
【図３】
2014033297.tif 000005
【図４】
2014033297.tif 000006
【図５】
2014033297.tif 000007
【図６】
2014033297.tif 000008
【図７】
2014033297.tif 000009
【図８】
2014033297.tif 000010